(57)【要約】【課題】  トリムカバーアセンブリの形状が袋状で、シートパッドの背面を殆んど覆うような形状であったとしても、カバーリングの作業が良好に行えるトリムカバーの組み付け方法を提供する。【解決手段】  シートパッドに被せられる袋状のトリムカバーの背面に対し、横トリムワイヤと横トリムワイヤの両端部に回動可能に２本の縦トリムワイヤを取付けてトリムカバーアセンブリを作成する工程と、横トリムワイヤをシートパッドに埋め込まれた横インサートワイヤに連結する工程と、トリムカバーアセンブリにおける下側部分を捲り上げて、トリムカバーアセンブリをシートパッドに被せる工程と、トリムカバーアセンブリの下側部分を前記シートパッドに被せ、それぞれの縦トリムワイヤの下側部分に対し、ホグリングによって、シートパッドに埋め込まれた縦インサートワイヤに連結する工程とを含む。【選択図】  図１
2006288661.tif 000002
【特許請求の範囲】
【請求項１】
シートパッドに被せられる袋状のトリムカバーの背面に対し、横トリムワイヤと該横トリムワイヤの両端部に回動可能に２本の縦トリムワイヤを取付けてトリムカバーアセンブリを作成する工程と、
前記横トリムワイヤを前記シートパッドに埋め込まれた横インサートワイヤに連結する工程と、
前記トリムカバーアセンブリにおける下側部分を捲り上げて、前記トリムカバーアセンブリをシートパッドに被せる工程と、
トリムカバーアセンブリの下側部分を前記シートパッドに被せ、それぞれの縦トリムワイヤの下側部分に対し、ホグリングによって、前記シートパッドに埋め込まれた縦インサートワイヤに連結する工程と、を含むことを特徴とするトリムカバーの組み付け方法。
【発明の詳細な説明】
【技術分野】
【０００１】
本発明はシートパッドにカバーを被せて製造される自動車用シートに関する。
【背景技術】
【０００２】
自動車用シートは、シートパッドにカバーをカバーリングして製造される。このカバーリングの作業は、単に、カバーを被せるだけのものではなく、カバーをシートパッドに連結するためのホグリングを伴い、自動車用シートの概観や着座感が快適になるよう工夫されている。実開平７−５５００号公報には、シートカバーの吊り込み構造が開示されている。このシートカバーの吊り込み構造は、角部が折れ線又は曲線になった上辺部と、両側辺部とを有する吊り込みラインが形成されてシートカバーを吊り込むものである。この構造では、上辺部に取付けられた吊り込み袋に挿入されたワイヤの端末と、両側辺部に取付けられた吊り込み袋及び角部に取付けられた吊り込み袋に挿入されたワイヤの端末とが、角部上方にて絡まれた状態でホグリングされる。これにより、数箇所の簡単なホグリングを行うことにより、角部が折れ線又は曲線となった吊り込みラインを形成でき、シートカバーのカバーリングにおける吊り込み作業を簡素化することができる。
【０００３】
特開２００２−２４８２８０号公報には、カバーアセンブリでパッドアセンブリを覆う車両用シートが開示されている。このカバーアセンブリは、そのサイド部及びメイン部が境界部で縫合されており、境界部では、サイド部吊り込み袋が縫着されるとともに、サイド部吊り込み袋内を貫通して吊り込みプレートが設けられている。この構造では、カバーアセンブリの下端部をその背面方向に引っ張ることで、パッドアセンブリに沿って均一に密着して装着することができる。
【０００４】
図７ないし図１３は、従来の方法による自動車用シートの製造方法であり、シートパッド３２にトリムカバーアセンブリ３１を被せることにより製造される。図７に示すように、従来のトリムカバーアセンブリ３１は、その背面に図中破線で示される吊り袋（３４ａ、３４ｂ）が縫製され、さらに、吊り袋には、図中破線で示されるトリムワイヤ（３５ａ、３５ｂ）が設けられている。トリムワイヤ（３５ａ、３５ｂ）は、横方向のトリムワイヤ３５ａと縦方向の二本のトリムワイヤ３５ｂで、背中の周囲が収まる程度の略コの字形状となって組み付けられている。
【０００５】
他方、図８に示すように、シートパッド３２は、発泡ウレタン等の発泡樹脂素材で肉厚に形成されることにより、中央部に比べ両サイドが若干盛り上がっている。そして、上述したトリムカバーアセンブリ３１のトリムワイヤ（３５ａ、３５ｂ）に収まるようにスリット３３が設けられ、図中破線で示される連結用のインサートワイヤ（３６ａ、３６ｂ）が、そのスリット３３内の取付け部３８から一部露出するように設けられている。この連結用のインサートワイヤ（３６ａ、３６ｂ）は、シートパッド３２をインサート成形することにより一体的に形成されるものである。
【０００６】
カバーリングの際には、図９（図８で示したＤ部分の拡大図）に示すように、シートパッド３２の取付け部３８に、トリムカバーアセンブリ３１の吊り袋３４ａおよびトリムワイヤ３５ａをホグリング３７で連結することにより、トリムカバーアセンブリ３１がシートパッド３２に吊り込まれて固定される。
【０００７】
図７において、矢印で示した６箇所がホグリング３７による連結箇所である。これら連結箇所で連結された後には、図１０で示したようにトリムカバーアセンブリ３１をずり上げて上部を被せる。しかし、このようなカバーリングの作業は、トリムカバーアセンブリ３１とシートパッド３２のサイズが相互に好適なサイズであった場合に良好に行うことができるが、トリムカバーアセンブリ３１の下方が自由に捲れないと良好に行うことが難しい。
【０００８】
図１１および図１２は、この違いを説明するために、トリムカバーアセンブリ３１をシートパッド３２に被せて示したものであり、自動車用シートの背面（トリムカバーの背面４０）が示されている。これらの図において、図１１のトリムカバーアセンブリ３１は、シートパッド３２の背面を殆んど覆わない形状であるのに対し、図１２のトリムカバーアセンブリ３１は、その形状が袋状でシートパッド３２の背面を殆んど覆う形状である。
言い換えるならば、図１１は、シートパッド３２の外周Ｅが、トリムカバーアセンブリ３１の背面における周縁Ｆに近似しているのに対し、図１２は、シートパッド３２の外周Ｅが、トリムカバーアセンブリ３１の背面における周縁Ｆよりかなり大きく袋状になっているといえる。
トリムカバーアセンブリ３１の形状は、時として変更されることがあるが、図１２のトリムカバーアセンブリ３１であっては、図１３の×印の部位Ｇの連結が良好とならない問題点を有していた。
【特許文献１】実開平７−５５００号公報
【特許文献２】特開２００２−２４８２８０号公報
【発明の開示】
【発明が解決しようとする課題】
【０００９】
本発明は、上記背景技術の問題点に鑑みてなされたものであり、トリムカバーアセンブリの形状が袋状で、シートパッドの背面を殆んど覆うような形状であったとしても、カバーリングの作業が良好に行えるトリムカバーの組み付け方法を提供しようとするものである。
【課題を解決するための手段】
【００１０】
本発明のトリムカバーの組み付け方法は、シートパッドに被せられる袋状のトリムカバーの背面に対し、横トリムワイヤと該横トリムワイヤの両端部に回動可能に２本の縦トリムワイヤを取付けてトリムカバーアセンブリを作成する工程と、前記横トリムワイヤを前記シートパッドに埋め込まれた横インサートワイヤに連結する工程と、前記トリムカバーアセンブリにおける下側部分を捲り上げて、前記トリムカバーアセンブリをシートパッドに被せる工程と、トリムカバーアセンブリの下側部分を前記シートパッドに被せ、それぞれの縦トリムワイヤの下側部分に対し、ホグリングによって、前記シートパッドに埋め込まれた縦インサートワイヤに連結する工程と、を含むことを特徴とする。
【発明の効果】
【００１１】
これにより、シートパッドに被せられるトリムカバーアセンブリが、袋状のトリムカバーアセンブリであっても、効率よくカバーリングが出来るものとなる。しかも、連結箇所を６箇所から４箇所に減らすことができる。
【発明を実施するための最良の形態】
【００１２】
図１は、トリムカバーアセンブリ１の斜視図であり、図２は、トリムカバーアセンブリ１で覆われるシートパッドである。図３は、図１のＡ部分における取付け説明図であり、図４は、図１のＢ部分における説明図である。図５および図６は、トリムカバーアセンブリの組み付け方法を説明する説明図である。
図１および図２に示すように、本発明のトリムカバーアセンブリ１は、袋状トリムカバーの背面に、シートパッド２へ連結するための背面部材を備えている。図１はトリムカバーアセンブリ１の表面を表したものであるが、説明上、その背面に設けられている背面部材を破線ではなく実線で示した。尚、本実施の形態におけるートパッド２は、発泡ウレタン等の発泡樹脂素材で肉厚に形成されており、このシートパッド２にトリムカバーアセンブリ１（シート部材）が連結されて自動車用シートが製造される。
【００１３】
図１に示すように、上述した背面部材は、トリムカバーアセンブリ１に対して、横方向に縫製された袋状の横吊り袋４ａと、その横吊り袋４ａの両端部近傍からそれぞれ縦方向に縫製された袋状の縦吊り袋４ｂと、横吊り袋４ａに挿通された横トリムワイヤ５ａと、縦吊り袋４ｂに挿通された縦トリムワイヤ５ｂとを備えている。他方、シートパッド２は、上述した横トリムワイヤ５ａおよび縦トリムワイヤ５ｂを連結する横インサートワイヤ６ａおよび縦インサートワイヤ６ｂを備えている。
【００１４】
因みに、横インサートワイヤ６ａや縦インサートワイヤ６ｂは、左右２本設けられている。そして、各インサートワイヤ６ａ、６ｂが埋め込まれている位置には、トリムカバーアセンブリ１の各トリムワイヤ５ａ、５ｂを収納するスリット３が設けられている。取付け部８は、スリット３の奥でトリムワイヤ５ａ、５ｂをホグリングにより連結するための空間であり、シートパッド２に対して４箇所が設けられている
【００１５】
図３（ａ）、（ｂ）は、図１におけるＡ部分を説明するものである。図３（ａ）に示すように、縦トリムワイヤ５ｂの端部は、横トリムワイヤ５ａの端部に回動可能に係止されている。そして、この状態を保ったまま、横トリムワイヤ５ａは、シートパッド２の取付け部８で連結される。図３（ｂ）は、横インサートワイヤ６ａに横トリムワイヤ５ａをホグリング７で連結したことを示している。
【００１６】
図４は、図１におけるＢ部分を説明するためのものである。矢印より左側は、縦吊り袋４ｂに縦トリムワイヤ５ｂが挿通されている取付け前の状態を示す。矢印より右側は、縦トリムワイヤ５ｂをホグリング７で連結したことを示しており、以上により、トリムカバーアセンブリ１は、シートパッド２に連結される。
【００１７】
次に、図５および図６により、本発明のトリムカバーアセンブリの組み付け方法を説明する。ここで、トリムカバーの背面に対し、横トリムワイヤ５ａと横トリムワイヤ５ａの両端部に回動可能に２本の縦トリムワイヤ５ｂを取付けてトリムカバーアセンブリ１を作成する工程については、上述したとおりである。トリムカバーアセンブリ１の作成の後には、図５に示すように、トリムカバーアセンブリ１の横トリムワイヤ５ａをシートパッド２の横インサートワイヤ６ａにホグリング７（図中、矢印で示す）で連結する。この状態で、横インサートワイヤ６ａを中心にして２本の縦トリムワイヤ５ｂを回動させ、トリムカバーアセンブリ１の下方をシートパッド２から離れる方向に捲り上げてトリムカバーアセンブリ１の上方をシートパッド２に被せる。
【００１８】
その後、縦トリムワイヤ５ｂを反対方向に回動させてトリムカバーアセンブリ１の下側部分をシートパッド２に被せ、それぞれの縦トリムワイヤ５ｂの下側部分に対し、ホグリング７によって、シートパッド２に埋め込まれた縦インサートワイヤ６ｂに連結する。このように縦トリムワイヤ５ｂは、その下側部分だけをホグリングによってインサートワイヤに連結するものであり、上側部分に対するホグリング連結は不要となる。
以上、説明したとおり、本発明のトリムカバーアセンブリ１の組み付け方法によると、袋状のトリムカバーアセンブリ１であっても、効率よくカバーリングでき、しかも、ホグリングによる連結箇所を６箇所から４箇所に減らすことができ、カバーリング作業を迅速に行うことができる。
【図面の簡単な説明】
【００１９】
【図１】本発明のトリムカバーアセンブリの斜視図である。
【図２】トリムカバーアセンブリで覆われるシートパッドである。
【図３】図１のＡ部分における取付け説明図であり、（ａ）は取付け前、（ｂ）は取付け後を表す。
【図４】図１のＢ部分における取付け説明図である。
【図５】トリムカバーアセンブリの組み付け方法の説明図である。
【図６】トリムカバーアセンブリの組み付け方法の説明図である。
【図７】従来のトリムカバーアセンブリの斜視図である。
【図８】トリムカバーアセンブリで覆われるシートパッドである。
【図９】図２のＤ部分における連結を説明する説明図である。
【図１０】トリムカバーアセンブリの組み付け方法の説明図である。
【図１１】トリムカバーアセンブリの背面を説明する説明図である。
【図１２】トリムカバーアセンブリの背面を説明する説明図である。
【図１３】トリムカバーアセンブリの組み付け方法の説明図である。
【符号の説明】
【００２０】
１、３１  トリムカバーアセンブリ
２、３２  シートパッド
３、３３  スリット
４ａ、３１ａ  横吊り袋
４ｂ、３４ｂ  縦吊り袋
５ａ、３５ａ  横トリムワイヤ
５ｂ、３５ｂ  縦トリムワイヤ
６ａ、３６ａ  横インサートワイヤ
６ｂ、３６ｂ  縦インサートワイヤ
７、３７  ホグリング
８、３８  取付け部
４０  トリムカバーの背面
【図１】
2006288661.tif 000003
【図２】
2006288661.tif 000004
【図３】
2006288661.tif 000005
【図４】
2006288661.tif 000006
【図５】
2006288661.tif 000007
【図６】
2006288661.tif 000008
【図７】
2006288661.tif 000009
【図８】
2006288661.tif 000010
【図９】
2006288661.tif 000011
【図１０】
2006288661.tif 000012
【図１１】
2006288661.tif 000013
【図１２】
2006288661.tif 000014
【図１３】
2006288661.tif 000015